(57)【要約】  固定子鉄心は、電磁鋼板が複数枚積層されてなり、円環状のコアバック部と、コアバック部から内側に向かって延び、巻線が巻回される複数のティース部と、を備えている。コアバック部は、積層方向に隣接する電磁鋼板同士が固定されるカシメ接合部を有している。ティース部の電磁鋼板は、平板状に形成されている。ティース部における複数の電磁鋼板の間に形成された複数の隙間のうち一部の隙間に、突起部が設けられている。
2017195249.tif 000002
【特許請求の範囲】
【請求項１】
電磁鋼板が複数枚積層されてなり、円環状のコアバック部と、前記コアバック部から内側に向かって延び、巻線が巻回される複数のティース部と、を備えた固定子鉄心であって、
前記コアバック部は、積層方向に隣接する前記電磁鋼板同士が固定されるカシメ接合部を有し、
前記ティース部の前記電磁鋼板は、平板状に形成されており、
前記ティース部における複数の前記電磁鋼板の間に形成された複数の隙間のうち一部の隙間に、突起部が設けられている固定子鉄心。
【請求項２】
前記突起部は、前記電磁鋼板に一体に成形されている請求項１に記載の固定子鉄心。
【請求項３】
前記突起部は、前記電磁鋼板の一方の面に凸部が形成され、他方の面に凹部が形成されている請求項２に記載の固定子鉄心。
【請求項４】
前記凸部の外径と、前記凹部の内径との差が、前記電磁鋼板の板厚の１／３よりも大きい請求項３に記載の固定子鉄心。
【請求項５】
前記突起部は、径方向に向かって複数並列させて設けられている請求項１〜４のいずれか一項に記載の固定子鉄心。
【請求項６】
前記コアバック部は、円環方向に分割した複数のセグメントからなり、
円環方向に隣接する前記セグメント同士が、隣接する前記セグメントに対して回動自在に連結されている請求項１〜５のいずれか一項に記載の固定子鉄心。
【請求項７】
前記コアバック部は、円環方向に分割した複数のセグメントからなり、
円環方向に隣接する前記セグメント同士が溶接されて連結されている請求項１〜５のいずれか一項に記載の固定子鉄心。
【請求項８】
前記ティース部には、絶縁機能を有する紙材又は樹脂シートからなる絶縁材によって絶縁処理が施されており、
前記絶縁処理が施された前記ティース部に前記巻線が巻回されている請求項１〜７のいずれか一項に記載の固定子鉄心。
【請求項９】
請求項１〜８のいずれか一項に記載の固定子鉄心を備えた電動機。
【発明の詳細な説明】
【技術分野】
【０００１】
本発明は、電磁鋼板を複数枚積層して構成された固定子鉄心、及びその固定子鉄心を備えた電動機に関するものである。
【背景技術】
【０００２】
一般に、固定子鉄心は、電動機又は回転機等に用いられる固定子を構成するものである。固定子鉄心は、電磁鋼板を複数枚積層して形成されており、円環状のコアバック部と、コアバック部から内側に向かって延びる複数のティース部とを備えている。ティース部には、絶縁処理が施されて巻線が巻回される。【０００３】
例えば特許文献１に開示された固定子鉄心では、積層方向に隣接する電磁鋼板同士が、コアバック部とティース部においてそれぞれカシメ接合されている。しかし、固定子鉄心は、ティース部におけるカシメの凸部と凹部の圧入による歪み、応力の影響で、透磁率が低下し、更に絶縁処理が破壊され、電磁鋼板の破断面同士が接触することで積層間に渦電流が生じ、鉄損の増加で磁気特性が劣化して、モータ特性に悪影響を与えている。一方、固定子鉄心は、ティース部にカシメ接合を施さないと、巻線によるテンションによって巻縮みが発生し潰れたように変形する。巻縮みが発生すると、巻線を目標の位置に巻回することができず、巻き乱れ等の製造不具合が発生して、製造品質に影響を与える。【０００４】
そこで、特許文献２に開示された固定子鉄心は、コアバック部において積層方向に隣接する電磁鋼板同士がカシメ接合され、ティース部において積層方向に隣接する電磁鋼板同士が間隙を残して嵌り合う凹凸部を有した構成としている。また、特許文献３に開示された固定子鉄心は、積層された各鉄心板に隙間用突起を設け、鉄心板間に微少隙間を確保した構成である。
【先行技術文献】
【特許文献】
【０００５】
【特許文献１】特開２０１３−５９２６２号公報
【特許文献２】特開２００８−４３１０２号公報
【特許文献３】特開平０６−１４４８１号公報
【発明の概要】
【発明が解決しようとする課題】
【０００６】
特許文献２に開示された固定子鉄心は、ティース部の各電磁鋼板に、凹凸部を積層方向に連続して設け、ティース部の積層間に隙間を形成して、巻線による巻縮みを抑制する構成である。また、特許文献３は、積層した鉄心板間に微少隙間を設けて渦電流による鉄損を低減させる構成である。しかし、必要となる積層間の隙間は、１μｍ〜５μｍであり、成形する刃物先端の形状精度によって決まる。そのため、各電磁鋼板に例えばエンボスを設けて積層間に隙間を形成するには、高精度の加工が必要となり、刃物の加工コスト及びメンテナンス性が課題となる。また、エンボスの成形を自動プレス機で行った場合、運転中の下死点位置が温度変化等で発生し、その影響によって積層間の隙間が変化するので、巻線を目標の位置に巻回することができず、巻き乱れ等の製造不具合が発生する。【０００７】
本発明は、上記のような課題を解決するためになされたもので、ティース部の電磁鋼板をカシメ接合することなく、巻線による巻縮みを抑制できる固定子鉄心、及びその固定子鉄心を備えた電動機を提供することを目的とする。
【課題を解決するための手段】
【０００８】
本発明に係る固定子鉄心は、電磁鋼板が複数枚積層されてなり、円環状のコアバック部と、前記コアバック部から内側に向かって延び、巻線が巻回される複数のティース部と、を備えた固定子鉄心であって、前記コアバック部は、積層方向に隣接する前記電磁鋼板同士が固定されるカシメ接合部を有し、前記ティース部の前記電磁鋼板は、平板状に形成されており、前記ティース部における複数の前記電磁鋼板の間に形成された複数の隙間のうち一部の隙間に、突起部が設けられているものである。
【発明の効果】
【０００９】
本発明によれば、ティース部の電磁鋼板が平板状に形成され、ティース部における複数の電磁鋼板の間に形成された複数の隙間のうち一部の隙間に、突起部が設けられているので、コアバック部の積層幅と、巻線の巻回によってテンションが作用したティース部の積層幅とを同等にすることができ、巻縮みを抑制することができる。
【図面の簡単な説明】
【００１０】
【図１】本発明の実施の形態に係る固定子鉄心を備えた電動機の縦断面図である。
【図２】本発明の実施の形態に係る固定子鉄心を備えた固定子を示した平面図である。
【図３】本発明の実施の形態に係る固定子鉄心の縦断面図である。
【図４】本発明の実施の形態に係る固定子鉄心を構成するセグメントの連結構造を説明した平面図である。
【図５】ティース部の電磁鋼板に突起部が設けられていない固定子鉄心を示した縦断面図である。
【図６】図５に示した固定子鉄心に巻線によるテンションが作用した状態を示した縦断面図である。
【図７】本発明の実施の形態に係る固定子鉄心のカシメ接合部による積層間の隙間と、突起部によって形成される隙間との関係を示した説明図である。
【図８】（ａ）はコアバック部の電磁鋼板に設けたカシメ接合部を示した部分拡大図、（ｂ）はティース部の電磁鋼板に設けた突起部を示した部分拡大図である。
【図９】（ａ）は本発明の実施の形態に係る固定子鉄心の積層間の隙間に突起部を径方向に並列させて設けた構成を示したセグメントの平面図、（ｂ）は（ａ）に指示したＸ−Ｘ線断面図である。
【図１０】本発明の実施の形態に係る固定子鉄心の突起部を成形するための金型の要部を概略的に示した説明図である。
【発明を実施するための形態】
【００１１】
実施の形態．
以下に、本発明の実施の形態に係る固定子鉄心１、及びその固定子鉄心を備えた電動機１００を、図１〜図１０に基づいて説明する。図１は、本発明の実施の形態に係る固定子鉄心を備えた電動機の縦断面図である。本実施の形態に係る固定子鉄心１は、図１に示すように、電動機１００に用いられる固定子１０を構成するものである。電動機１００は、例えば密閉容器１００ａの内壁面に焼き嵌め等により固着支持された円環状の固定子１０と、固定子１０の内側面に対向して回転可能に取り付けられた回転子２０とで構成されている。
【００１２】
回転子２０は、図１に示すように、所定の形状に打ち抜いた電磁鋼板を複数枚積層して構成された回転子鉄心２１と、回転子鉄心２１に設けられた挿入孔に挿入される永久磁石２２とを備え、例えば圧縮機構部等の軸部２３に焼き嵌め等により固定されている。回転子２０は、固定子１０が発生する回転磁界からの回転力を受けて回転する。
【００１３】
図２は、本発明の実施の形態に係る固定子鉄心を備えた固定子を示した平面図である。図３は、本発明の実施の形態に係る固定子鉄心の縦断面図である。固定子１０は、図２に示すように、固定子鉄心１と、固定子鉄心１に巻回される巻線８とで構成されている。固定子鉄心１は、図２及び図３に示すように、一例として板厚が０．１ｍｍ〜０．７ｍｍ程度の薄厚の電磁鋼板２を複数枚（図示例の場合は１１枚）積層して形成されており、円環状に構成されたコアバック部３と、コアバック部３から内側に向かって延び、巻線８が巻回さえる複数のティース部４とを備えている。なお、図示した電磁鋼板２の枚数は一例であり、必要に応じて適宜変更するものとする。
【００１４】
図４は、本発明の実施の形態に係る固定子鉄心を構成するセグメントの連結構造を説明した平面図である。固定子鉄心１は、図２及び図４に示すように、コアバック部３を、円環方向に９個に分割した略Ｔ字形状のセグメント１１（分割鉄心）を連結して構成されている。隣接するセグメント１１同士は、隣接するセグメント１１に対して回動自在に連結されている。具体的には、隣接するセグメント１１のコアバック部３における電磁鋼板２同士が、コアバック部３の端部において交互に重なり合い、重なり合った箇所に共通のピン孔が形成され、ピン孔にピンが差し込まれてピン連結７されている。したがって、本実施の形態に係る固定子鉄心１は、図２に示す円環状に限らず、各セグメント１１を回動させることによって、逆円環状又は直線状等の様々な形状に変化させることができる。なお、隣接するセグメント１１同士は、隣接するコアバック部３の端縁部を溶接して一体形状とした構成でもよい。または、隣接するセグメント１１同士が嵌り合う凹凸状の嵌合部をコアバック部３の端部に設けた構成でもよい。
【００１５】
各セグメント１１のコアバック部３は、図２〜図４に示すように、積層方向に隣接する電磁鋼板２同士を二箇所の位置で固定するＶカシメによるカシメ接合部５を有する。各セグメント１１は、絶縁機能を有する紙又は樹脂シート等の絶縁材６によって、絶縁処理が施されている。各セグメント１１のティース部４には、絶縁材６の上から巻線８（集中巻線）が巻回されている。なお、隣接するティース部４の間にはスロットが形成されており、スロットが巻線８の収納スペースとなっている。巻線８は、銅線の外側に絶縁被膜が施されたマグネットワイヤなどが使用される。
【００１６】
ここで、カシメ構造について説明する。本実施の形態の固定子鉄心１では、電磁鋼板２に対して切り曲げ加工を行い、板厚以上の突起により複数枚の電磁鋼板２を締結させるＶカシメによるカシメ接合部５が、コアバック部３に施されている。他のカシメ構造としては、丸カシメと呼ばれる円状の突起を成形し、積層方向に隣り合う磁性板同士を圧入関係で締結する構造がある。また、丸カシメの類似形状として半円を斜めに変形させた丸Ｖ字カシメ構造、板厚以下のカシメとして丸カシメに類似した角カシメ構造がある。
【００１７】
Ｖカシメ構造は、丸カシメ構造等と比べ、同一の接合面積において、大きな締結力を有するが、積層間の隙間が増える傾向にある。また、上記したいずれのカシメ構造も、カシメ変形部の圧入を利用した締結方法であり、凸部と凹部の圧入による固定子鉄心の歪み、応力が大きくなり、磁気特性が悪化する欠点がある。
【００１８】
本実施の形態の固定子鉄心１では、上記カシメ構造の特徴を鑑み、各セグメント１１のコアバック部３の電磁鋼板２がＶカシメにより接合され、ティース部４の電磁鋼板２が平板状に形成された構成とし、カシメの数を減らして凸部と凹部の圧入による歪み、応力を抑制している。ただし、各セグメント１１のコアバック部３における接合は、Ｖカシメに限定されず、丸カシメ又は角カシメ等でもよい。
【００１９】
図５は、ティース部の電磁鋼板に突起部が設けられていない固定子鉄心を示した縦断面図である。図６は、図５に示した固定子鉄心に巻線によるテンションが作用した状態を示した縦断面図である。固定子鉄心１は、図５に示すように、カシメ接合部５によって、コアバック部３およびティース部４の積層間に隙間が生じる。そのため、図６に示すように、ティース部４に巻線８が巻回されると、コアバック部３の積層の隙間はカシメ接合部５で維持されるが、ティース部４は巻線８のテンションＦによって巻縮みする。この巻縮みは、コアバック部３からティース部４に向かって屈曲し、積層方向に隣接するティース部４の内径側の先端同士が、隣接するティース部４間で隙間を持たなくなるように変形する。固定子鉄心１は、巻縮みが発生すると、巻線８を目標の位置に巻回することができず、巻き乱れ等の製造不具合が発生して、製造品質に影響を与える。
【００２０】
また、固定子鉄心１は、巻縮みすることによって外径と内径が変形し、各セグメント１１を円環状に配置すると、外径と内径の形状が樽型になる。そのため、固定子鉄心１は、内径真円度及び円筒度が悪化し、回転子２０と固定子１０とのエアギャップが不均一となり、モータ特性に悪影響がでる。
【００２１】
そこで、本実施の形態の固定子鉄心１では、図３及び図４に示す構成としている。具体的には、固定子鉄心１は、各セグメント１１のティース部４における電磁鋼板２を平板状に形成し、積層方向に隣接する電磁鋼板２同子が接合されていない。また、固定子鉄心１は、ティース部４における電磁鋼板２の間に形成された複数の隙間のうち一部の隙間にダボ形状の突起部９を設けて、コアバック部３の積層幅Ｄ１と、巻線８の巻回によってテンションＦが作用したティース部４の積層幅Ｄ２とを同等にしている。突起部９は、電磁鋼板２に一体的に成形されており、電磁鋼板２の一方の面に凸部９ａが形成され、他方の面に凹部９ｂが形成された構成である。
【００２２】
図７は、本発明の実施の形態に係る固定子鉄心のカシメ接合部による積層間の隙間と、突起部によって形成される隙間との関係を示した説明図である。突起部９は、突起部９によって形成される隙間量Ｘ２の寸法が、コアバック部３の積層間の各隙間の隙間量Ｘ１と電磁鋼板２の積層枚数ｎとの積と同等になる大きさで形成される。図７に示す実施の形態の固定子鉄心１の場合は、一例として６枚の電磁鋼板２を１組として、コアバック部３の積層幅Ｌ１と、ティース部４の積層幅Ｌ２が同等となるように構成している。
【００２３】
図８（ａ）は、コアバック部の電磁鋼板に設けたカシメ接合部を示した部分拡大図である。図８（ｂ）は、ティース部の電磁鋼板に設けた突起部を示した部分拡大図である。図８（ａ）に示すように、コアバック部３のカシメ接合部５は、凸部の外径Ｂと、凹部の内径Ａとの差α（外径Ｂ−内径Ａ）が０以下でもよい。しかし、ティース部４の電磁鋼板２に設けた突起部９は、ティース部４が巻線８の巻回によって変形しない大きさであることが必要である。ティース部４の積層幅Ｄ２は、巻線８のテンションＦによって突起部９が変形してしまうと、コアバック部３の積層幅Ｄ１と同等にすることができないからである。そこで、本実施の形態の固定子鉄心１では、図８（ｂ）に示すように、突起部９の凸部９ａの外径Ｃと、凹部９ｂの内径Ａの差α（外径Ｃ−内径Ａ）が電磁鋼板２の板厚ｔの１／３よりも大きい構成とし、巻線８のテンションＦに対する突起部９の強度を高めている。
【００２４】
突起部９の側面は、電磁鋼板２の上面に対して直角又は傾斜した形状とすることが好ましい。突起部９の側面は、エンボス形状となる球面等でも構成できる。しかし、突起部９の側面を球面にすると、金型刃物のメンテナンスが従来通りの平面研磨では無くなるため、運用管理に課題がある。そこで、本実施の形態の固定子鉄心１は、製造での運用管理を従来通りとし、メンテナンス性及びコスト面でも有利となる先端平面形状のパンチで突起部９を成形する。
【００２５】
図９（ａ）は、本発明の実施の形態に係る固定子鉄心の積層間の隙間に突起部を径方向に並列させて設けた構成を示したセグメントの平面図である。図９（ｂ）は、図９（ａ）に指示したＸ−Ｘ線断面図である。突起部９は、図９に示すように、同一の電磁鋼板２において、径方向に複数（図示例の場合は２個）並列させて設けてもよい。固定子鉄心１は、突起部９を径方向に複数設けることにより、電磁鋼板２の板厚が薄い場合、又はティース部４の長さが長い場合であっても、巻線８のテンションによる撓み変形を抑制することができる。なお、突起部９の配列及び個数は、図９に示した実施の形態に限定されない。例えば突起部９は、３個以上設けてもよいし、円環方向に並列させて設けてもよい。但し、突起部９は、磁束密度の影響から径方向に複数並列させて設けることが好ましい。
【００２６】
図１０は、本発明の実施の形態に係る固定子鉄心の突起部を成形するための金型の要部を概略的に示した説明図である。突起部９は、図１０に示すように、ティース部４における電磁鋼板２の目標の位置に突起形状を成形するカム構造４０１と、カム構造４０１に対して上下に稼働する成形パンチ４０２とを備えた金型４００により成形される。金型４００は、成形パンチ４０２がプレス機による自動制御によって突起部９の成形の有無を自動で切り替えられる構成とされ、任意のタイミングで間欠に突起形状を成形する。
【００２７】
本実施の形態の固定子鉄心１は、突起部９が金型４００内でプレス機の自動制御により、例えば電磁鋼板２の６枚ごとに一個というように、ティース部４の目標の位置において間欠に形成されるので、コアバック部３の積層間の隙間の実測値（電磁鋼板一枚当たりの板厚と積層枚数ｎの積と実際の積層幅の差）に合わせて、任意の間隔を構成することができる。そのため、固定子鉄心１は、巻線８の巻回時に、巻縮みに合わせて突起形状を有する電磁鋼板２の枚数を、プレス生産中でも目標の間隔に調整することが可能となる。また、固定子鉄心１は、コアバック部３のカシメ接合部５の積層間における隙間の状態によって、プレス生産中でも遠隔操作により間欠回数を調整することができ、目標の積層幅を得ることができる。
【００２８】
なお、ティース部４における隣接する電磁鋼板２に隙間を形成する構成として、例えばティース部４の先端である円環内径側を、金型４００の内部で間欠又は連続でレーザ溶接してもよい。但し、磁気特性の面からすると、円環内径側に成形された溶接面とコアバック部３に設けたカシメ接合部５とで渦電流が発生し、性能が低下するため、上記したダボ形状の突起部９を設けることが好ましい。
【００２９】
また、ティース部４における隣接する電磁鋼板２の隙間に、外部からコアバック部３の積層幅Ｄ１とティース部４の積層幅Ｄ２を調整する薄板を挟んでもよい。但し、薄板を挿入する工程が新たに必要となるので、そのための設備が必要となる。よって、金型４００の内部で積層と同時に高速に成形できるダボ形状の突起部９は、製造コストの面で優位となる。
【００３０】
したがって、本実施の形態の固定子鉄心１は、ティース部４の電磁鋼板２が平板状に形成されており、積層方向に隣接する電磁鋼板２同士が接合されていないので、カシメの凸部と凹部の圧入による歪み及び応力の影響で透磁率が低下したり、絶縁処理が破壊されたりすることがない。また、固定子鉄心１は、ティース部４における複数の電磁鋼板２の間に形成された複数の隙間のうち一部の隙間に突起部９を設けているので、コアバック部３の積層幅Ｄ１と、巻線８の巻回によってテンションＦが作用したティース部４の積層幅Ｄ２とを同等にすることができ、巻縮みを抑制することができる。よって、巻線８を目標の位置に巻回することができ、巻き乱れ等の製造不具合を低減することができる。また、巻線品質を改善でき、手直し工数および工程内不良を低減させることができるから、高品質な電動機を提供することができる。更に、本実施の形態の固定子鉄心１は、突起部９で電磁鋼板２を金型４００内で積層する場合の圧力に対向することができるので、積層間隔が縮まることを抑制することができる。
【００３１】
また、本実施の形態の固定子鉄心１では、巻線８が、集中巻巻線径又は巻線８の素材によってテンションが変化する場合であっても、巻線８に応じた大きさの突起部９を設定することで、コアバック部３の積層幅Ｄ１とティース部４の積層幅Ｄ２とを同等とすることができるので、安定した巻線８の配列が可能となる。
【００３２】
また、本実施の形態の固定子鉄心１は、突起部９が電磁鋼板２の一方の面に凸部９ａが形成され、他方の面に凹部９ｂが形成されおり、凸部９ａの外径Ｃと凹部９ｂの内径Ａとの差が、電磁鋼板２の板厚ｔの１／３よりも大きい構成なので、巻線８のテンションＦに対する突起部９の強度を高めることができる。
【００３３】
また、本実施の形態の固定子鉄心１は、突起部９を径方向に並列させて複数設けることにより、電磁鋼板２の板厚が薄い場合、又はティース部４の長さが長い場合であっても、巻線８のテンションＦによる撓み変形を抑制することができる。
【００３４】
また、本実施の形態の固定子鉄心１は、円環方向に隣接するセグメント１１同士が、隣接するセグメント１１に対して回動自在にピン連結７された構成なので、各セグメント１１を回動させることによって、逆円環状および直線状等の様々な形状に変化させることができる。
【００３５】
また、本実施の形態の固定子鉄心１は、ティース部４が、絶縁機能を有する紙材又は樹脂シートからなる絶縁材６によって絶縁処理を施されて巻線８で巻回された構成なので、巻線８とティース部４との絶縁が良好となる。
【００３６】
以上に本発明を実施の形態に基づいて説明したが、本発明は上述した実施の形態の構成に限定されるものではない。例えば、コアバック部３は、円環方向に分割した複数のセグメントで構成した実施形態を示したが、セグメントに分割されてドーナッツ状でもよい。また、ダボ形状の突起部９は、図示した丸形状の他、四角形状など形状を問わず適用できる。また、突起部９は、各セグメント１１のティース部４に均等に配置してもよいが、特にコアバック部３同士の接合部が片側にしか備えていない場合には、突起部９を有する電磁鋼板２の枚数を増やすことで、各ティース部４間での積層幅の変化に対して個々に調整が可能となり、各ティース部４での差も抑制できる。以上、要するに、いわゆる当業者が必要に応じてなす種々なる変更、応用、利用の範囲をも本発明の要旨（技術的範囲）に含むことを念のため申し添える。
【符号の説明】
【００３７】
１  固定子鉄心、２  電磁鋼板、３  コアバック部、４  ティース部、５  カシメ接合部、６  絶縁材、７  ピン連結、８  巻線、９  突起部、９ａ  凸部、９ｂ  凹部、１０  固定子、１１  セグメント、２０  回転子、２１  回転子鉄心、２２  永久磁石、２３  軸部、１００  電動機、１００ａ  密閉容器、４００  金型、４０１  カム機構、４０２  成形パンチ。
【図１】
2017195249.tif 000003
【図２】
2017195249.tif 000004
【図３】
2017195249.tif 000005
【図４】
2017195249.tif 000006
【図５】
2017195249.tif 000007
【図６】
2017195249.tif 000008
【図７】
2017195249.tif 000009
【図８】
2017195249.tif 000010
【図９】
2017195249.tif 000011
【図１０】
2017195249.tif 000012
【手続補正書】
【提出日】平成30年7月23日(2018.7.23)
【手続補正１】
【補正対象書類名】明細書
【補正対象項目名】０００８
【補正方法】変更
【補正の内容】
【０００８】
本発明に係る固定子鉄心は、電磁鋼板が複数枚積層されてなり、円環状のコアバック部と、前記コアバック部から内側に向かって延び、巻線が巻回される複数のティース部と、を備えた固定子鉄心であって、前記コアバック部は、積層方向に隣接する前記電磁鋼板同士が固定されるカシメ接合部を有し、前記ティース部の前記電磁鋼板は、平板状に形成されており、前記ティース部における複数の前記電磁鋼板の間に形成された複数の隙間のうち一部の隙間に、前記電磁鋼板の平坦面に突き当たる突起部が設けられているものである。
【手続補正２】
【補正対象書類名】明細書
【補正対象項目名】００２２
【補正方法】変更
【補正の内容】
【００２２】
図７は、本発明の実施の形態に係る固定子鉄心のカシメ接合部による積層間の隙間と、突起部によって形成される隙間との関係を示した説明図である。突起部９は、突起部９によって形成される隙間量Ｘ２の寸法が、コアバック部３の積層間の各隙間の隙間量Ｘ１と電磁鋼板２の積層枚数ｎ−１との積と同等になる大きさで形成される。図７に示す実施の形態の固定子鉄心１の場合は、一例として６枚の電磁鋼板２を１組として、コアバック部３の積層幅Ｌ１と、ティース部４の積層幅Ｌ２が同等となるように構成している。
【手続補正３】
【補正対象書類名】特許請求の範囲
【補正対象項目名】全文
【補正方法】変更
【補正の内容】
【特許請求の範囲】
【請求項１】
電磁鋼板が複数枚積層されてなり、円環状のコアバック部と、前記コアバック部から内側に向かって延び、巻線が巻回される複数のティース部と、を備えた固定子鉄心であって、
前記コアバック部は、積層方向に隣接する前記電磁鋼板同士が固定されるカシメ接合部を有し、
前記ティース部の前記電磁鋼板は、平板状に形成されており、
前記ティース部における複数の前記電磁鋼板の間に形成された複数の隙間のうち一部の隙間に、前記電磁鋼板の平坦面に突き当たる突起部が設けられている固定子鉄心。
【請求項２】
前記突起部は、前記電磁鋼板の一方の面に凸部が形成され、他方の面に凹部が形成されている請求項１に記載の固定子鉄心。
【請求項３】
前記凸部の外径と、前記凹部の内径との差が、前記電磁鋼板の板厚の１／３よりも大きい請求項２に記載の固定子鉄心。
【請求項４】
前記突起部は、前記電磁鋼板に一体に成形されている請求項１〜３のいずれか一項に記載の固定子鉄心。
【請求項５】
前記突起部は、径方向に向かって複数並列させて設けられている請求項１〜４のいずれか一項に記載の固定子鉄心。
【請求項６】
前記コアバック部は、円環方向に分割した複数のセグメントからなり、
円環方向に隣接する前記セグメント同士が、隣接する前記セグメントに対して回動自在に連結されている請求項１〜５のいずれか一項に記載の固定子鉄心。
【請求項７】
前記コアバック部は、円環方向に分割した複数のセグメントからなり、
円環方向に隣接する前記セグメント同士が溶接されて連結されている請求項１〜５のいずれか一項に記載の固定子鉄心。
【請求項８】
前記ティース部には、絶縁機能を有する紙材又は樹脂シートからなる絶縁材によって絶縁処理が施されており、
前記絶縁処理が施された前記ティース部に前記巻線が巻回されている請求項１〜７のいずれか一項に記載の固定子鉄心。
【請求項９】
請求項１〜８のいずれか一項に記載の固定子鉄心を備えた電動機。
【国際調査報告】
2017195249.tif 000013
2017195249.tif 000014
2017195249.tif 000015
2017195249.tif 000016